(57)【特許請求の範囲】
【請求項１】
画像形成装置の後段に直列接続される複数台の後処理装置を備えた後処理システムにおいて、
前記後処理装置の１つであって、上流から到来する用紙を複数枚重ね合わせて下流に送り出す重ね機と、
前記重ね機の下流に設けられた第１排紙口および第２排紙口と、
用紙の搬送を制御する制御部と、
を備え、
前記制御部は、前記第１排紙口へ用紙を排紙するジョブの実行中にジャムが発生して、搬送経路に残っている用紙を前記第２排紙口に排出するパージ処理を行う場合に、前記ジョブの実行中に前記第１排紙口へ単位時間に排紙していた用紙の枚数が、前記第２排紙口が単位時間に排紙可能な用紙の上限枚数より多いことを条件に、前記重ね機で用紙の重ね合わせを行わせる
ことを特徴とする後処理システム。
【請求項２】
前記第２排紙口は前記第１排紙口の上流にある
ことを特徴とする請求項１に記載の後処理システム。
【請求項３】
前記制御部は、前記ジャムが発生する前に、前記重ね機を、前記ジョブで搬送する用紙の種類に適合する装置状態に準備する
ことを特徴とする請求項１または２に記載の後処理システム。
【発明の詳細な説明】
【技術分野】
【０００１】
本発明は、画像形成装置の後段に直列接続される複数台の後処理装置を備えた後処理システムに係り、特に、ジャムの発生後に搬送経路に残っている用紙を自動的に排紙するパージ処理を行う後処理システムに関する。
【背景技術】
【０００２】
画像形成装置の後段に、用紙に折り、綴じ、穴あけなどを行う後処理装置を追加すると、給紙から排紙までの用紙の搬送経路が長くなる。搬送経路が長くなると、ジャムが発生した場合に、搬送経路上に残留する用紙の数が多くなるので、それらの用紙を取り除く作業が大変になる。
【０００３】
この作業にかかる労力を低減するためにジャム発生後に搬送経路に残っている用紙を自動的に排紙する技術が各種提案されている。
【０００４】
たとえば、特許文献１には、両面印刷のインターリーフ動作(交互搬送)中にジャムが発生した場合に、用紙の位置に応じて自動排紙するための搬送経路を判断し、搬送経路上に残っている用紙のうち、自動排紙可能な用紙をすべて自動排紙するようにする技術が開示されている。
【０００５】
また、特許文献２には、プレス印刷部でジャムが発生した場合に、ドラムの押圧動作を止め、搬送速度を変えて搬送を継続して排紙する印刷装置が開示されている。
【０００６】
ところで、メーカーにおいては、処理能力（毎分の処理枚数）を高めた画像形成装置の開発に対して、後処理装置の対応が追い付かないことがあり、その場合、一部の後処理装置については、画像形成装置より処理能力の低い従来品が流用される。その結果、複数台の後処理装置を組み合わせた後処理システムにおいて、画像形成装置と同等の処理能力の高い後処理装置と、処理能力の低い後処理装置が混在することがある。
【０００７】
このような後処理システムでは、画像形成装置の処理能力を生かすために、画像形成装置の後段に、上流から到来する用紙を複数枚（たとえば、２枚）重ね合わせて下流へ送り出す重ね機を設けることがある。たとえば、重ね機で用紙２枚を重ね合わせる場合、画像形成装置から１２０枚／分で下流へ用紙が送り出されても、重ね機の下流では６０枚／分に相当する紙間になるので、後処理装置の処理能力が１２０枚／分未満であっても６０枚／分以上であれば、画像形成装置を１２０枚／分の処理速度で稼働させることができる。
【先行技術文献】
【特許文献】
【０００８】
【特許文献１】特開２００８−０５２１２５号公報
【特許文献２】特許第４６０７５２７号
【発明の概要】
【発明が解決しようとする課題】
【０００９】
処理能力の高い後処理装置と処理能力の低い後処理装置が混在する後処理システムでは、用紙に施す後処理の内容によっては、処理能力の高い後処理装置のみが稼働し、それより上流にある処理能力の低い後処理装置は機内を用紙が通過するだけで済む場合がある。
【００１０】
処理能力の低い後処理装置であっても用紙を通過させるだけならば自機の処理能力より高い処理速度にも対応できるので、上記のような後処理を行う場合、後処理システムは、重ね機で重ね合わせを行うことなく、処理能力の高い後処理装置に合わせた処理速度で処理を実行していた。
【００１１】
しかし、この後処理の実行中にジャムが発生すると、搬送経路上に残留している用紙のパージ処理を、処理能力の低い後処理装置の排紙口を使用して実行できないという問題があった。すなわち、用紙を通過させる場合と異なり、排紙口へ用紙を排出する場合は、用紙の飛び出しを抑制するための減速制御を行うので、排紙口の処理能力を超える処理速度には対応できない。そのため、処理能力の高い後処理装置に合わせた紙間で搬送経路上に残留している用紙を、処理能力の低い後処理装置の排紙口へ排紙すると、制御破綻して用紙の飛び出しや新たなジャムが発生してしまう。
【００１２】
また、パージ処理で使用する排紙口の処理能力が足りる場合であっても、ジャム発生後に排紙先を切り替えるためには分岐箇所において搬送経路を機械的に切り替える動作が必要なため、その動作中に次の用紙が分岐箇所に到達すると、新たなジャムが生じてしまう。
【００１３】
本発明は、上記の問題を解決しようとするものであり、ジャム発生後に搬送経路に残留している用紙を、排紙口を切り替えて円滑に排紙することのできる後処理システムを提供することを目的としている。また、処理能力の高い後処理装置に合わせた処理速度で処理中にジャムが発生した場合に、搬送経路上に残留している用紙を、処理能力が低い後処理装置の排紙口へ排紙することのできる後処理システムを提供することを目的としている。
【課題を解決するための手段】
【００１４】
かかる目的を達成するための本発明の要旨とするところは、次の各項の発明に存する。
【００１５】
［１］画像形成装置の後段に直列接続される複数台の後処理装置を備えた後処理システムにおいて、
前記後処理装置の１つであって、上流から到来する用紙を複数枚重ね合わせて下流に送り出す重ね機と、
前記重ね機の下流に設けられた第１排紙口および第２排紙口と、
用紙の搬送を制御する制御部と、
を備え、
前記制御部は、前記第１排紙口へ用紙を排紙するジョブの実行中にジャムが発生して、搬送経路に残っている用紙を前記第２排紙口に排出するパージ処理を行う場合に、前記ジョブの実行中に前記第１排紙口へ単位時間に排紙していた用紙の枚数が、前記第２排紙口が単位時間に排紙可能な用紙の上限枚数より多いことを条件に、前記重ね機で用紙の重ね合わせを行わせる
ことを特徴とする後処理システム。
【００１６】
上記発明では、第１排紙口へ用紙を排紙するジョブの実行中にジャムが発生して、搬送経路に残っている用紙を第２排紙口に排出するパージ処理を行う場合に、ジョブの実行中に第１排紙口へ単位時間に排紙していた用紙の枚数（排紙の処理速度）が、第２排紙口が単位時間に排紙可能な用紙の上限枚数（排紙の処理能力）より多いことを条件に、重ね機で用紙の重ね合わせを行わせる。用紙を重ね合わせることで、ジャム発生時の処理速度より第２排出口の処理能力（排紙能力）が低くても排紙可能になる。すなわち、用紙の重ね合わせを行わなければ第２排紙口の排紙能力を超えてしまう場合に、重ね機で用紙の重ね合わせを行う。また、残留している用紙が第２排出口に到達するタイミングが重ね機で用紙を重ね合わせる分だけ遅れるので、排紙経路を第２排出口へ切り替える動作中に用紙が第２排出口に到達して新たなジャムが発生することが防止される。
【００１７】
［２］前記第２排紙口は前記第１排紙口の上流にある
ことを特徴とする［１］に記載の後処理システム。
【００２０】
［３］前記制御部は、前記ジャムが発生する前に、前記重ね機を、前記ジョブで搬送する用紙の種類に適合する装置状態に準備する
ことを特徴とする［１］または［２］に記載の後処理システム。
【００２１】
上記発明では、ジョブで重ね機を使用しない場合であってもジャム発生に備えて重ね機の準備動作を事前に実行することで、パージ処理の開始が重ね機の準備動作のために遅延しないようにする。
【発明の効果】
【００２２】
本発明に係る後処理システムによれば、ジャム発生後に搬送経路に残留している用紙を、排紙口を切り替えて円滑に排紙することができる。また、処理能力の高い後処理装置に合わせた処理速度で処理中にジャムが発生した場合に、搬送経路上に残留している用紙を、処理能力の低い後処理装置の排紙口を使用して円滑に排紙することができる。
【図面の簡単な説明】
【００２３】
【図１】本発明の実施の形態に係る後処理システムを含む画像形成システムの構成例を示す図である。
【図２】図１に示す画像形成システムの概略構成を示すブロック図である。
【図３】本発明の実施の形態に係る後処理システムのジャム発生時の動作を示す流れ図である。
【図４】本発明の実施の形態に係る後処理システムのジャム発生時の動作の他の例を示す流れ図である。
【発明を実施するための形態】
【００２４】
以下、図面に基づき本発明の実施の形態を説明する。
【００２５】
＜第１の実施の形態＞
図１は、本発明の実施の形態に係る後処理システム５を含む画像形成システム３における用紙の搬送経路等を示している。画像形成システム３は、画像形成装置１０と、その後段に接続された後処理システム５から構成される。
【００２６】
画像形成装置１０は、原稿を読み取りその複製画像を用紙上に形成するコピー機能や、パーソナルコンピュータなどの外部装置から印刷データを受信し、対応する画像を用紙上に形成して出力する印刷機能などを備えた、いわゆるデジタル複合機と称される装置である。
【００２７】
後処理システム５は、直列接続された複数台の後処理装置からなる。本例では、後処理システム５は、第１後処理装置（重ね機）３０と、第２後処理装置（スタック機）５０と、第３後処理装置（中綴じ機）７０をこの順に直列接続して構成される。
【００２８】
第１後処理装置(重ね機)３０は、画像形成装置１０から到来する用紙を複数枚重ね合わせて下流へ送り出す機能を果たす。ここでは、２枚の用紙を重ね合わせて出力する。第１後処理装置(重ね機)３０は、上流から受け入れた用紙を２枚重ね合わせて下流へ送り出す重ね処理を実行するか、重ね処理を行わずに、上流から受け入れた用紙をそのまま機内を通過させて下流へ送り出すかを切り替えることができる。
【００２９】
重ね処理を行う場合、用紙は、一対のガイドローラ４２の間から下方の一時収納部４３へ向かい、用紙の下端が当接板４４に到達したところで一時停止する。当接板４４の高さは、用紙の下端が当接板４４に到達した時点でその用紙の上端がガイドローラ４２のやや上になるように事前に調整される。その後、２枚目の用紙が同様にして一対のガイドローラ４２の間から一時収納部４３へ向かい、用紙の下端が当接板４４に到達して停止する。このようにして２枚の用紙が一時収納部４３で重ね合わされたら、この２枚の用紙をまとめて一度に一時収納部４３から後段へ送り出すようになっている。
【００３０】
なお、一時収納部４３は、収納する用紙の幅方向の両端をガイドする一対の幅方向ガイド板（図示省略）を備えている。用紙の重ね処理を行う場合は、その準備動作として、重ね合わせる用紙の長さに合わせて当接板４４の高さを調整する動作と、重ね合わせる用紙の幅に合わせて幅方向ガイド板の間隔を調整する動作が行われる。
【００３１】
第２後処理装置(スタック機)５０は、上流から到来する用紙をメイントレイ６１に多数枚積載して蓄積する機能を果たす。また、第２後処理装置(スタック機)５０は、上流から到来する用紙をサブトレイ６２に排紙する機能を備えている。第２後処理装置(スタック機)５０は、上流から到来する用紙をメイントレイ６１に排出して蓄積するか、サブトレイ６２に排出するか、機内を通過させて下流へ送り出すかを切り替えることができる。サブトレイ６２は、印刷中に画質を確認するためのサンプル出力などに利用される。
【００３２】
第３後処理装置(中綴じ機)７０は、上流から到来した用紙を２つ折りにしてステイプルで中綴じをして冊子を作成し、その冊子をメイントレイ８１に積載して蓄積する機能を果たす。第３後処理装置（中綴じ機）７０は、上流から到来した用紙をメイントレイ８１に出力するか、機内を通過させて下流へ送り出すかを切り替えることができる。
【００３３】
画像形成装置１０は、１２５枚／分の処理速度を備えている。第１後処理装置(重ね機)３０は、１２５枚／分の処理速度に対応している。
【００３４】
第２後処理装置(スタック機)５０は、メイントレイ６１あるいはサブトレイ６２に排出する場合は１０５枚／分の処理速度を備えている。機内を通過させる場合は１２５枚／分に対応することができる。
【００３５】
第３後処理装置(中綴じ機)７０は、１２５枚／分の処理速度に対応している
【００３６】
図２は、画像形成システム３を構成する各装置のブロック図である。画像形成装置１０は、ＣＰＵ(Central Processing Unit)、ＲＯＭ(Read Only Memory)、ＲＡＭ(Random Access Memory)などで構成された制御部１１を備えている。制御部１１には、操作部１２、画像読み取り部１３、画像形成部１４、通信部１５、給紙部１６、搬送部１７、ジャム検知部１８、パージ処理部１９などが接続されている。
【００３７】
制御部１１は、ＲＯＭに格納されたプログラムに基づいて、画像形成装置１０の各種の動作を制御する。操作部１２は、液晶ディスプレイなどの表示装置と、タッチパネル、ハードキーなど入力装置を備え、各種の設定画面や装置の動作状態を表示する機能、各種の操作をユーザから受け付ける機能を果たす。
【００３８】
画像読み取り部１３は、原稿台にセットされた原稿を光学的に読み取って対応する画像データを出力する機能を果たす。画像読み取り部１３は、原稿に光を照射する光源やミラー、原稿で反射した光を受光して光の強度に応じた電気信号を出力するラインイメージセンサなどで構成される。
【００３９】
画像形成部１４は、画像データに応じた画像を用紙上に形成する。画像形成部１４は、表面に静電潜像が形成される感光体、感光体を一様に帯電させる帯電装置、帯電した感光体の表面に、画像データに応じてＯＮ／ＯＦＦされるレーザー光を照射して静電潜像を形成するレーザーユニット、静電潜像をトナーなどの色材で顕像化する現像装置、感光体上に形成された顕像を用紙に転写する転写装置、転写後の用紙を感光体から分離する分離装置、転写後に感光体に残った残留トナーを除去するクリーニング装置、用紙上のトナー像を用紙に熱で定着させる定着装置などで構成される。画像形成部１４は、いわゆる電子写真方式のレーザープリンタのエンジン部である。画像形成部１４は他の方式で画像を用紙に形成するものであってもかまわない。
【００４０】
給紙部１６は、用紙を多数収納する給紙トレイと、この給紙トレイから用紙を１枚ずつ繰り出す機構を備えている。搬送部１７は、給紙部１６の給紙トレイから繰り出された用紙を、画像形成部１４を経て後段の装置（ここでは第１後処理装置(重ね機)３０）まで搬送する機能を果たす。搬送部１７は、ガイド板、ガイドローラ、搬送ローラなどで構成された搬送経路と、搬送ローラを回転駆動する駆動部などで構成される。
【００４１】
通信部１５は、後段の装置（ここでは、第１後処理装置(重ね機)３０）と各種の情報をシリアル通信で送受信する機能を果たす。
【００４２】
ジャム検知部１８は、画像形成装置１０内の搬送経路上のどの場所でジャム（用紙詰まり）が生じているかを検出する。
【００４３】
パージ処理部１９は、ジャム発生後に搬送経路上に残留している用紙を所定の排出口へ排紙するように搬送部１７等を制御する機能を果たす。
【００４４】
第１後処理装置（重ね機）３０は、ＣＰＵ、ＲＯＭ、ＲＡＭなどで構成された制御部３１を備えている。制御部３１には、対上流通信部３２、重ね判定部３３、重ね部３４、対下流通信部３５、搬送部３６、重ね搬送準備部３７、ジャム検知部３８、パージ処理部３９などが接続されている。
【００４５】
制御部３１は、ＲＯＭに格納されたプログラムに基づいて、第１後処理装置（重ね機）３０の各種の動作を制御する。
【００４６】
対上流通信部３２は、第１後処理装置（重ね機）３０の上流側に接続された装置（ここでは画像形成装置１０）と各種の情報をシリアル通信で送受信する機能を果たす。対下流通信部３５は、第１後処理装置（重ね機）３０の下流側に接続された装置（ここでは第２後処理装置（スタック機）５０）と各種の情報をシリアル通信で送受信する機能を果たす。
【００４７】
重ね判定部３３は、パージ処理において、用紙を重ね合わせる重ね処理を行うか否かを判定する。重ね部３４は、用紙の重ね合わせを実行する機構である。重ね搬送準備部３７は、用紙を重ね合わせるための前述した準備動作を制御する。
【００４８】
搬送部３６は、上流から受け入れた用紙を、重ね部３４を経て、あるいは、そのまま機内を通過させて、後段の装置まで搬送する機能を果たす。搬送部３６は、ガイド板、ガイドローラ、搬送ローラなどで構成された搬送経路と、搬送ローラを回転駆動する駆動部などで構成される。
【００４９】
ジャム検知部３８は、第１後処理装置（重ね機）３０内の搬送経路上のどの場所でジャム（用紙詰まり）が生じているかを検出する。
【００５０】
パージ処理部３９は、ジャム発生後に搬送経路上に残留している用紙を所定の排出口へ排紙するように搬送部３６等を制御する機能を果たす。
【００５１】
第２後処理装置（スタック機）５０は、ＣＰＵ、ＲＯＭ、ＲＡＭなどで構成された制御部５１を備えている。制御部５１には、対上流通信部５２、メイントレイ排出部５３、サブトレイ排出部５４、対下流通信部５５、搬送部５６、排紙経路切り替え部５７、ジャム検知部５８、パージ処理部５９などが接続されている。
【００５２】
制御部５１は、ＲＯＭに格納されたプログラムに基づいて、第２後処理装置（スタック機）５０の各種の動作を制御する。
【００５３】
対上流通信部５２は、第２後処理装置（スタック機）５０の上流側に接続された装置（ここでは第１後処理装置（重ね機）３０）と各種の情報をシリアル通信で送受信する機能を果たす。対下流通信部５５は、第１後処理装置（重ね機）３０の下流側に接続された装置（ここでは第３後処理装置（中綴じ機）７０）と各種の情報をシリアル通信で送受信する機能を果たす。
【００５４】
メイントレイ排出部５３は、メイントレイ６１に用紙を排出して積載する動作を行う。サブトレイ排出部５４は、排紙速度の減速制御を行って用紙をサブトレイ６２に排出する動作を行う。排紙経路切り替え部５７は、搬送経路の分岐箇所を機械的に動作させて、上流から到来した用紙をメイントレイ６１に排出するかサブトレイ６２に排出するかを切り替える。
【００５５】
搬送部５６は、上流から受け入れた用紙を、メイントレイ６１やサブトレイ６２に排出するまで搬送する、もしくは、そのまま機内を通過させて後段の装置まで搬送する機能を果たす。搬送部５６は、ガイド板、ガイドローラ、搬送ローラなどで構成された搬送経路と、搬送ローラを回転駆動する駆動部などで構成される。
【００５６】
ジャム検知部５８は、第２後処理装置（スタック機）５０内の搬送経路上のどの場所でジャム（用紙詰まり）が生じているかを検出する。
【００５７】
パージ処理部５９は、ジャム発生後に搬送経路上に残留している用紙を所定の排出口（ここでは、サブトレイ６２）に排紙するよう搬送部５６や排紙経路切り替え部５７を制御する機能を果たす。
【００５８】
第３後処理装置（中綴じ機）７０は、ＣＰＵ、ＲＯＭ、ＲＡＭなどで構成された制御部７１を備えている。制御部７１には、対上流通信部７２、メイントレイ排出部７３、搬送部７４、中綴じ部７５、中折り部７６、ジャム検知部７８、パージ処理部７９などが接続されている。
【００５９】
制御部７１は、ＲＯＭに格納されたプログラムに基づいて、第３後処理装置（中綴じ機）７０の各種の動作を制御する。
【００６０】
対上流通信部７２は、第３後処理装置（中綴じ機）７０の上流側に接続された装置（ここでは第２後処理装置（スタック機）５０）と各種の情報をシリアル通信で送受信する機能を果たす。
【００６１】
中綴じ部７５は、用紙の中央をステイプルで綴じる機能を果たす。中折り部７６は、用紙を２つ折りにする機能を果たす。メイントレイ排出部７３は、中折りされ中綴じされて作成された冊子を、メイントレイ８１に排出して積載する機能を果たす。
【００６２】
搬送部７６は、上流から受け入れた用紙を、メイントレイ８１に排出するまで搬送する、もしくは、そのまま機内を通過させて後段の装置まで搬送する機能を果たす。搬送部７４は、ガイド板、ガイドローラ、搬送ローラなどで構成された搬送経路と、搬送ローラを回転駆動する駆動部などで構成される。
【００６３】
ジャム検知部７８は、第３後処理装置（中綴じ機）７０内の搬送経路上のどの場所でジャム（用紙詰まり）が生じているかを検出する。
【００６４】
パージ処理部７９は、ジャム発生後に搬送経路上に残留している用紙を所定の排出口（ここでは、後段へ通過させる）に排紙するよう搬送部７４を制御する機能を果たす。
【００６５】
なお、後処理システム５全体の制御は、第１後処理装置（重ね機）３０の制御部３１がマスタとなり、該制御部３１と第２後処理装置（スタック機）５０の制御部５１と第３後処理装置（中綴じ機）７０の制御部７１が共同して行う。
【００６６】
次に、ジャムが発生した場合における後処理システム５の動作について説明する。
【００６７】
図３は、ジャムが発生した場合の後処理システム５の動作を示す流れ図である。なお、ジャムが発生する前に、ジャム発生に備えて第１後処理装置（重ね機）３０の準備動作を行う。
【００６８】
前述したように、第１後処理装置（重ね機）３０の準備動作は、当接板４４等を移動させる動作を含むため、準備動作の遂行にある程度の時間を要する。そのため、ジャム発生後に準備動作を行うと、その分だけパージ処理の開始が遅れてしまう。そこで、本実施の形態では、ジョブで重ね機を使用しない場合であってもジャム発生に備えて重ね機の準備動作を事前に実行しておき、パージ処理の開始が重ね機の準備動作のために遅延しないようにする。具体的には、ジョブの実行を開始する際に、そのジョブで使用する用紙のサイズに適合するように第１後処理装置（重ね機）３０の準備動作を完了させる。
【００６９】
ジョブの実行中にジャムが発生すると（ステップＳ１０１）、ジャム発生後に搬送経路に残留している用紙をいずれかの排紙口に排紙するパージ処理が可能な否かを判定する（ステップＳ１０２）。たとえば、ジャムの発生場所と、パージに利用可能な他の排紙口の場所との関係からパージ可能か否かを判定する。
【００７０】
パージ可能でなければ（ステップＳ１０２;Ｎｏ）、パージ処理ができないのでユーザが用紙の詰まりを手動で解除する必要があること等を画像形成装置１０の操作部１２に表示等して（ステップＳ１０８）、本処理を終了する。
【００７１】
パージ可能ならば（ステップＳ１０２;Ｙｅｓ）、パージ処理で使用する用紙の排出口（パージトレイとする）を決定し、ジャム発生前の処理速度（単位時間当たりの排紙枚数）と、パージトレイの処理能力（排紙能力・・単位時間に排紙可能な枚数）を比較する（ステップＳ１０３）。
【００７２】
たとえば、ジャム発生時に、第２後処理装置（スタック機）５０を通過させて第３後処理装置（中綴じ機）７０で冊子を作成し、該冊子を第３後処理装置（中綴じ機）７０のメイントレイ８１に排出するジョブを実行していたとする。このジョブは、第１後処理装置（重ね機）３０の処理速度が画像形成装置１０の処理速度に対応しているので、１２５枚／分の処理速度で実行される。
【００７３】
該ジョブの実行中に第３後処理装置（中綴じ機）７０でジャムが発生すると、第２後処理装置（スタック機）５０のサブトレイ６２がパージトレイに選択される。第２後処理装置（スタック機）５０のサブトレイ６２の処理能力は１０５枚／分である。したがって、このケースでは、ジャム発生前の処理速度よりパージトレイの処理能力が小さいことになる。
【００７４】
パージトレイの処理能力がジャム発生前の処理速度より小さい場合は（ステップＳ１０４；Ｙｅｓ）、重ね処理が可能か否かを調べる（ステップＳ１０５）。後処理システム５が第１後処理装置（重ね機）３０を備えていない場合や第１後処理装置（重ね機）３０でエラーが発生しているような場合には、重ね処理不可と判定する。
【００７５】
重ね処理不可の場合は（ステップＳ１０５;Ｎｏ）、ステップＳ１０８に移行する。
【００７６】
重ね処理可能の場合は（ステップＳ１０５;Ｙｅｓ）、第１後処理装置（重ね機）３０で重ね処理を行うように設定して（ステップＳ１０６）、パージ処理を実行する（ステップＳ１０７）。
【００７７】
これにより、前述の例の場合、第１後処理装置（重ね機）３０より上流の搬送経路に残留していた用紙は、第１後処理装置（重ね機）３０で２枚ずつ重ね合わされた状態で第２後処理装置（スタック機）５０に送り出され、第２後処理装置（スタック機）５０のサブトレイ６２から排出される。このときの紙間は、１枚ずつ用紙を６２．５枚／分の処理速度（６２．５枚／分に対応した紙間）で搬送する場合と同じになるので、パージトレイ（サブトレイ６２）の処理能力より小さくなり、パージトレイにて円滑に排紙することができる。
【００７８】
パージトレイの処理能力がジャム発生前の処理速度より小さくない場合は（ステップＳ１０４;Ｎｏ）、重ね処理を行う必要がないので、ジョブ実行中と同じ状態、すなわち、重ね処理を行うことなく、パージ処理を実行する（ステップＳ１０７）。
【００７９】
たとえば、第２後処理装置（スタック機）５０のサブトレイ６２の処理能力が、もしも１２５枚／分以上であれば、第２後処理装置（スタック機）５０のサブトレイ６２をパージトレイとして、重ね処理を行わずに、パージ処理を実行すればよい。
【００８０】
このように、パージトレイの処理能力がジャム発生前の処理速度より小さい場合は、第１後処理装置（重ね機）３０で重ね処理を行うので、処理能力が不足するパージトレイに対して残留紙を円滑に排紙することができる。なお、上記の例では、ジャム発生時に第１後処理装置（重ね機）３０より下流に残留していた用紙は重ね合わされずにサブトレイ６２から排出されるが、少数なので問題はない。
【００８１】
＜第２の実施の形態＞
排紙先をサブトレイ６２に切り替えるには、第２後処理装置（スタック機）５０内の分岐箇所において搬送経路を機械的に切り替える必要がある。そのため、搬送経路の切り替え完了前にパージ処理を開始させて、次の用紙が、切り替え動作中の分岐箇所に到達すると、この場所で新たなジャムが発生してしまう。また、これを回避するために、搬送経路の切り替え動作が完了するまでパージ処理の開始を遅らせると時間ロスが生じる。
【００８２】
そこで、本発明の第２の実施の形態では、パージトレイの処理能力がジャム発生前の処理速度より小さくない場合であっても、第１後処理装置（重ね機）３０で重ね処理を行わせる。これにより、第１後処理装置（重ね機）３０で重ね処理を行う分だけ、第１後処理装置（重ね機）３０から下流に用紙が送り出されるタイミングが遅延するので、その間に搬送経路の切り替えが完了して前述の問題が解消される。
【００８３】
なお、第２の実施の形態においても、ハードウェア構成は第１の実施の形態と同様であり、その説明は省略する。
【００８４】
図４は、ジャムが発生した場合の第２の実施の形態に係る後処理システム５の動作、すなわち、パージトレイの処理能力がジャム発生前の処理速度より小さくない場合にも重ね処理を行わせる場合の動作を示す。
【００８５】
図３と同様に、ジョブの開始時に第１後処理装置（重ね機）３０の準備動作を行う。ジョブの実行中にジャムが発生すると（ステップＳ２０１）、パージ処理が可能か否かを判定する（ステップＳ２０２）。
【００８６】
パージ可能でなければ（ステップＳ２０２;Ｎｏ）、パージ処理ができないのでユーザが用紙の詰まりを手動で解除する必要があること等を画像形成装置１０の操作部１２に表示等して（ステップＳ２０８）、本処理を終了する。
【００８７】
パージ可能ならば（ステップＳ２０２;Ｙｅｓ）、重ね処理が可能か否かを調べる（ステップＳ２０３）。重ね処理が可能な場合は（ステップＳ２０３;Ｙｅｓ）、第１後処理装置（重ね機）３０で重ね処理を行うように設定して（ステップＳ２０４）、パージ処理を実行する（ステップＳ２０７）。
【００８８】
重ね処理不可の場合は（ステップＳ２０３;Ｎｏ）、パージ処理で使用する用紙の排出口（パージトレイとする）を決定し、ジャム発生前の処理速度と、パージトレイの処理能力を比較する（ステップＳ２０５）。
【００８９】
パージトレイの処理能力がジャム発生前の処理速度より小さい場合は（ステップＳ２０６;Ｙｅｓ）、ステップＳ２０８に移行する。パージトレイの処理能力がジャム発生前の処理速度より小さくない場合は（ステップＳ２０６;Ｎｏ）、ステップＳ２０７に移行してパージ処理を実行する。
【００９０】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９１】
実施の形態では、第３後処理装置（中綴じ機）７０でジャムが発生した場合に、ジャム発生箇所より上流の第２後処理装置（スタック機）５０のサブトレイ６２をパージトレイとした場合を例に説明したが、ジャム発生箇所とパージトレイの上流下流の関係はこれに限定されるものではない。たとえば、第２後処理装置（スタック機）５０の中でメインの搬送経路から分岐してメイントレイ６１へ向かう経路の途中でジャムが発生した場合、該ジャムの発生箇所より下流のサブトレイ６２や第３後処理装置（中綴じ機）７０をパージトレイとすることができる。
【００９２】
実施の形態では、第１後処理装置（重ね機）３０、第２後処理装置（スタック機）５０、第３後処理装置（中綴じ機）７０を直列接続した後処理システム５を例示したが、より多くの後処理装置を接続して構成されてもかまわない。また後処理システム５の中に重ね機３０があれば、他の後処理装置の種類は問わない。また、後処理システム５の上流に複数台の画像形成装置１０をタンデム接続する構成でもよく、この場合、ジャム発生時に搬送経路に残留する用紙の枚数はさらに多くなる。
【符号の説明】
【００９３】
３…画像形成システム
５…後処理システム
１０…画像形成装置
１１…制御部
１２…操作部
１３…画像読み取り部
１４…画像形成部
１５…通信部
１６…給紙部
１７…搬送部
１８…ジャム検知部
１９…パージ処理部
３０…第１後処理装置（重ね機）
３１…制御部
３２…対上流通信部
３３…重ね判定部
３４…重ね部
３５…対下流通信部
３６…搬送部
３７…重ね搬送準備部
３８…ジャム検知部
３９…パージ処理部
４２…一対のガイドローラ
４３…一時収納部
４４…当接板
５０…第２後処理装置（スタック機）
５１…制御部
５２…対上流通信部
５３…メイントレイ排出部
５４…サブトレイ排出部
５５…対下流通信部
５６…搬送部
５７…排紙経路切り替え部
５８…ジャム検知部
５９…パージ処理部
６１…メイントレイ
６２…サブトレイ
７０…第３後処理装置（中綴じ機）
７１…制御部
７２…対上流通信部
７３…メイントレイ排出部
７４…搬送部
７５…中綴じ部
７６…中折り部
７８…ジャム検知部
７９…パージ処理部
８１…メイントレイ
【図１】
0006459292.tif 000002
【図２】
0006459292.tif 000003
【図３】
0006459292.tif 000004
【図４】
0006459292.tif 000005